(57)【要約】【課題】  都市のヒートアイランド緩和のため、緑化の重要性がましているが、緑化が困難な屋上、もしくは、従来遭えて緑化をしようとしなかった場所を、低コストで緑化をなし、かつ、メンテナンスの経費も抑える技術を開発することを課題とする。【解決手段】  数ｃｍ以上の貯水が可能な場所、もしくは、若干の改修で貯水が可能となる場所に貯水し、この水面から数ｃｍ浮かせた状態でマット、シートを設置し、このマット、シートに植栽し水栽培によって緑化することをもって解決しようとした。【選択図】      図８
2006129704.tif 000002
【特許請求の範囲】
【請求項１】
貯水槽が浅い場合（供する植物の根系の長さの範囲）、スペーサーを用いて１枚以上のマット、シートを貯水限度未満の最高水位以上の高さに設置して外気と遮断し、このマット、シートに植栽し、植物の根系の全てか一部を水中に露出させて育成し、緑化する方法。
【請求項２】
底面から天端までが同一の形状、面積で連続的につながる天端が開放された、または、開放することが可能な遮光性の高い貯水施設を、透水性と遮光性を有し、且つ、浮力を有したマット、シートを水面に浮かせて外気と遮断し、水位変動に応じて１枚以上のマット、シートが上下する機能を有するこのマット、シートに植栽し、植物の根系の全てか一部を水中に露出させて育成し、緑化する方法。
【請求項３】
請求項１、２において毛管現象によってマットに水分を供給せしめ、マットを培地として緑化する方法。
【請求項４】
水位変動に応じ、水面から一定の距離を有して浮く機能を具備したマットおよびシート。
【発明の詳細な説明】
【技術分野】
【０００１】
本発明は、中水を利用し、数ｃｍ以上の中水が貯水可能な場所、もしくは、若干の改修で貯水可能となる場所を、水栽培によって緑化する方法である。
【背景技術】
【０００２】
都市のヒートアイランドを緩和させるため、屋上緑化の必要性がますます高まっている。緑化に際し、培地に土壌を用いる場合その重量が建築物の強度に大きく制限される。そこで人工的につくった軽量な土壌などが採用されているが、かなりのコスト増になっている。又、乾燥時で強風の場合、土壌の飛散防止対策が必要となる。更に、潅水などのメンテナンスにもかなりの経費を必要とする。
【０００３】
そこで発明者は、土壌の役目は、水分、養分を蓄え、植物に提供することと、その植物を支えることにあるのでこの土壌の役目を代用することが可能であれば土壌を必要としない緑化ができると考え、中水を利用した水栽培で緑化を図ろうとした。中水とは下水でもなく上水でもない水をさし、下水処理場で処理された水や雨水等であるが、本発明の主な目的は雨水を利用した緑化であるので今後は雨水で表現する。
【０００４】
また、この技術をもとに、既存の貯水施設の水面の緑化も可能ならしめようとした。
【発明の開示】
【発明が解決しようとする課題】
【０００５】
通常の構造物は１０ｃｍほどの貯水をしても、それに耐えることができるため、水栽培によって緑化を図ろうとした。そこで貯水槽の最高水位以上に位置するよう、マット、シートを敷設し、そして植物をマット、シートに定着させ、そこから根を露出させ貯水槽に導くことを考案した。このマット、シートが植物の支持基盤となり、貯水槽の水が培地となるようにした。
【０００６】
また、貯水槽が浅く、長期間降雨がなく水が枯渇した時は給水することが必要であるが、貯水槽が深い場合、水が枯渇するまで給水の必要がないようマット、シートが水位変動に応じて上下するようにした。
【０００７】
さらに、この方法では水分の過剰供給となること、酸素部不足になることで栽培できない種も栽培できる方法を考えた。
【課題を解決するための手段】
【０００８】
請求項１の発明にかかる方法は貯水槽が浅い場合（供する植物の根系の長さの範囲）、スペーサーを用いて１枚以上のマット、シートを貯水限度未満の最高水位以上の高さに設置して外気と遮断し、このマット、シートに植栽し、植物の根系の全てか一部を水中に露出させて育成し、緑化する方法である。
【０００９】
請求項２の発明にかかる方法は、底面から天端までが同一の形状、面積で連続的につながる天端が開放された、または、開放することが可能な遮光性の高い貯水施設を、透水性と遮光性を有し、且つ、浮力を有した１枚以上のマット、シートを水面に浮かせて外気と遮断し、水位変動に応じてマット、シートが上下する機能を有するこのマット、シートに植栽し、植物の根系の全てか一部を水中に露出させて育成し、緑化する方法である。
【００１０】
請求項３の発明にかかる方法は、請求項１、２において毛管現象によってマットに水分を供給せしめ、マットを培地とする方法である。
【００１１】
請求項４の発明にかかるものは水位変動に応じ、水面から一定の距離を有して浮く機能を具備したマットおよびシートである。
【発明の効果】
【００１２】
請求項１の発明にかかる方法は貯水槽が浅い場合（供する植物の根系の長さの範囲）、スペーサーを用いて１枚以上のマット、シートを貯水限度未満の最高水位以上の高さに設置して外気と遮断し、このマット、シートに植栽し、植物の根系の全てか一部を水中に露出させて育成し、緑化する方法である。１枚以上のとしたのは、水面が広い場合、または、形状が複雑な場合マット、シートを複数に分割し、繋ぎ合わせた方が、施工時、また、メンテナンスにおいて効率的だからである。
【００１３】
貯水槽が浅い場合や雨水の貯水を可能とするよう防水処理を施した屋上などに、スペーサーを用いて（狭い場合はスペーサーが不要の場合もある）マット、シートを貯水限度未満の最高水位以上の高さに設置して外気と遮断し、この上に、植物の根系が貯水槽に露出するよう植栽することを特徴とする水栽培緑化方法である。
【００１４】
屋上などは構造物の荷重制限から、緑化にともない使用する資材と植栽後成長する植物の重量を減じたもので貯水可能な量の最大値は決定されるが、この数値からこのスペースに立ち入る人の体重を加味する必要があり、それが貯水限度未満の最高水位である。
【００１５】
スペーサーの形状や配置方法次第で、その上部は通路としても、ベンチやテーブルを設置することも可能である。
【００１６】
請求項２の発明にかかる方法は、底面から天端までが同一の形状、面積で連続的につながる天端が開放された、または、開放することが可能な遮光性の高い貯水施設を、透水性と遮光性を有し、且つ、浮力を有したマット、シートを水面に浮かせて外気と遮断し、水位変動に応じてマット、シートが上下する機能を有したこのマット、シートに植栽し、植物の根系の全てか一部を水中に露出させて育成し、緑化する方法である。
【００１７】
請求項３の発明にかかる方法は、請求項１、２において毛管現象によってマットに水分を供給せしめ、マットを培地とする方法である。
【００１８】
請求項１、２の方法では、マット、シートを浮かせていても、根系のほとんどが絶えず水中にある。その結果水分の過剰供給となること、酸素不足になることで栽培できない種がある。
【００１９】
そこで毛管現象によってマットに水分を供給せしめ、このマットに植栽することで、水分の過剰供給となることや酸素不足を解消し、植栽可能になる種を増やすことができる。
【００２０】
請求項４の発明にかかるものは水位変動に応じ、水面から一定の距離を有して浮く機能を具備したマットおよびシートである。
【００２１】
マット、シートの下部に発泡スチロールなど水より比重の軽い素材か、空洞を有し浮く物を取り付けるか、マット、シートを複層にし内部にこれらを充填したものである。
【００２２】
このマット、シートは降雨後は雨水を含み重くなる。また、植栽後植物の生長とともに重くなっていく。湿った状態で、かつ、植栽された状態で数ｃｍ浮くようにし、植物の生長とともに重くなり、マット、シートが水面に接するようになれば、水より比重の軽い素材か、空洞を有し浮く物を追加して再び浮くようにする。
【００２３】
天端が開放された遮光性の高い容器を貯水槽とし、水面を植生付きの、透水性と遮光性を有したマット、シートで高気密に遮断することで、降水はマット、シートで濾過される。貯水槽に降り込む以外の雨水も貯水する場合は、給水の際濾過する。
【００２４】
高気密に遮断することで、塵、埃などが混入せず、又、蚊などの有害水生昆虫が産卵、発生することも防止できる。
【００２５】
遮光性の高い容器と、マット、シートで覆うため、水中で光合成が行われないため、動植物プランクトンの増殖を防止できる。
【００２６】
植栽された植物が雨水に含まれる物質を吸収することにより、雨水が浄化される。浄化能力は植栽される植物により異なるが、例えばヨシの浄化能力は高く評価されている。根系付近の水がよく浄化されるので雨水が循環するようにすれば、より効果的である。
【００２７】
雨水の有効利用の用途を広げるには、見た目の透明感と、水質の向上であり、こうして得られた雨水はかなり良質なものである。従来は潅水や水洗トイレまでが用途とされていたが、この雨水は洗濯、風呂にまで用途を広げることが可能である。設置位置を工夫すれば１００％省エネルギー（雨水が持つ位置エネルギーの活用）で使用できる。
【００２８】
この天端が緑化された貯水槽を、法律、条例で緑地の設置が義務付けられた場所（例えば、工場、屋上）に設置すれば、この緑化された天端が緑地として認定されれば、貯水槽を地上に設置したことで生じる、土地の有効利用の妨げなどの支障は許容できるはずである。
【００２９】
植栽する植物を現在水耕栽培で栽培されている野菜にすれば、ミニ家庭菜園にもなり、やはり貯水槽を地上に設置したことで生じる支障は許容できるはずである。
【００３０】
すり鉢状の貯水槽の場合、水位低下により水面の面積も減少する。減少した部分のマット、シートの植物が枯死する場合がある。末広がりの場合は逆であり外気と遮断できなくなる。このような貯水槽でも水位変動に応じてマット、シートが同じ位置を上下することを可能であり、且つ、水面を外気と遮断できれば応用は可能である。
【００３１】
また、透水性と遮光性を有したマット、シートで外気と遮断、遮光性の高い貯水槽と限定したが、必ずしも全てを満たす必要はないし、部分的に満たさないこともある。それは得られる効果が減ずるだけのこだからる。
【発明を実施するための最良の形態】
【００３２】
以下本発明にかかわる実施の形態について、図面を参照しつつ説明するが、防水処理し、貯水ができるようにした屋上を、、マットを使用し、１ユニット１００ｃｍ×５０ｃｍのマットを採用すること、上限水位１０ｃｍを想定して実施の形態１を説明する。上限水位１０ｃｍになる位置にオーバーフローの排水口、底部に利水と排水のための配水口（排水口を兼ねる）、渇水時のための給水口を設ける。
【００３３】
防水処理した後、天端が凹状なる空洞の角パイプ（図１）のスペサー１を固定する。スペーサー１の高さは上限水位より数ｃｍ高くする。図２に示す１００ｃｍ×５０ｃｍの枠２に取り付けたマット３の長手方向の枠の一端をスペサー１の凹部に差し込む。マット３は満水時でも数ｃｍ浮くことになる。これは飛来した種子が発芽しても生育させないためと、根への酸素補給のためである。枠２の幅は凹の幅の半分である。枠のもう一方は次のスペサー１の凹に差し込む。図３は断面図の模式図である。
【００３４】
これを繰り返し、通路４をセットした後、これを繰り返す。この通路に交差する通路は、スペサー１の上を渡るようにセットすればよいし、なくても支障はない。図４に平面図の模式図を示した。
【００３５】
貯水槽の端部は、施工場所の形態が一様でないため限定はしない。
【００３６】
図５は植物苗４の模式図である。直径５〜１０ｃｍ程のマット３の中心に植物の基部が差し込めるほどの穴６をあけ、ここに根系を差し込む。このとき根系の一部をマット３上に出し、例えばファイバーと呼ばれる保湿材７で覆いマット３にも根が展開するようにすると、植物の安定性が高まる。マット３下の根系９は、根が展開できるスポンジ１０状のもので包む。
【００３７】
敷設されたマット３に、スポンジ１０状のもので包まれた根系９が差し込めるほどの切込みを入れ、植物苗４の根系９を差し込む。
【００３８】
匍匐タイプの植物は、マット３上を伸長していくため支障はないが、複層的な緑化を求める場合、支柱やそれに替わるもの（針金、紐、ネットなど）にからませることも効果的である。
【００３９】
次に実施の形態２では、敷地１００ｍ×１００ｍの事業所において、その周囲を内径０.５ｍ、深さ１．１ｍの排水溝を防水処理して貯水槽１１とした場合を想定し、図面を参照しつつ説明する。図６は敷地の平面図である。図７は貯水槽１１の断面図である。雨水の大半は給水口１２からフィルターを通して給水され、満水になればオーバーフロー排水口１３より排水される。
【００４０】
満水の場合、貯水された雨水の断面は０.５ｍ２であり、９９ｍ×０.５ｍ２×４＝１９８ｍ３の貯水能力があり、敷地内に降った２００mmの雨を貯水できることになる。
【００４１】
図８はマット３に植物苗５を植栽しフロート材１４で水面１５に浮かせた模式図である。水位変動に応じて上下するこのマット３は、フロート材１４で水面１５から数cm浮かせてある。これは飛来した種子が発芽しても生育させないためと、根への酸素補給のためである。マット３はそれ自体と、貯水槽の清掃のため、分割した１ユニット１００ｃｍ×５０ｃｍものを繋ぎ合わせたものとする。
【００４２】
敷設されたマット３に、スポンジ１０で包まれた植物根系９が差し込めるほどの切込みを入れ、この苗の植物根系９を差し込み固定すれば植栽完了である。
【００４３】
貯水槽を強固なネット状のものでふさげば、この上は駐車スペースとして利用可能な１９８ｍ２の緑地となる。
【００４４】
実施の形態３で毛管現象を利用した方法を述べる。マット３の設置方法は実施の形態１、２と同様である。実施の形態１では、マット３から貯水槽の底部に届くように、実施の形態２では、マット３から水面に届くように、マット３に例えば化繊の布１７などを取り付ける。
【００４５】
このマット３に、よく水洗いした植物の根系９を広げて置き、根系を例えばファイバーと呼ばれる保湿材７で覆う。やがて植物根系９がマット３に貫入すれば植栽完了である。図９にその模式図を示した。
【００４６】
実施の形態１乃至３で得られる雨水はマットで濾過された状況で貯水槽に入る。活性炭などを混入させたマットであればより効果的である。。遮蔽されているため飛来物が混入せず、蚊などの有害水生昆虫が産卵、発生することも防止できる。また、遮光されるため動植物プランクトンが増殖しない。根系により雨水は浄化される。混入するとすれば、ちぎれた根系である。
【００４７】
雨水を有効利用する場合には、排水口に、排水機能と、給水機能を持たす必要がある。この排水口に濾過装置をつければ、ちぎれた根系は濾過される。この雨水はかなり良質であると考えられ、飲料水以外で利用することが可能である。
【００４８】
雨水を有効利用するには配水設備が必要となり、既存の建物では潅水、打ち水、水冷式のエアコンぐらいの利用であろうが、新築、改築時に配水を考慮すればトイレ、風呂、洗濯、掃除に利用できる。屋上の雨水は位置エネルギーがあり、まったくの省力で利用できる。貯水量を増やすような構造物に変更しても充分に採算が取れるものである。
【００４９】
なお、使用する材料、「苗」育成の仕様、植栽方法などの構成、形状、数量、材質、大きさ、接続関係等についても、上記各実施の形態に限定されるものではない。
【図面の簡単な説明】
【００５０】
【図１】スペーサーの模式図
【図２】枠
【図３】断面図の模式図
【図４】平面図の模式図
【図５】植物苗の模式図
【図６】敷地の平面図
【図７】貯水槽の断面図
【図８】実施の形態２の植栽された状況の模式図
【図９】実施の形態３の植栽された状況の模式図
【符号の説明】
【００５１】
１  スペ−サー
２  枠
３  マット
４  通路
５  植物苗
６  穴
７  保湿材
８  植物地上部
９  植物根系
１０スポンジ
１１貯水槽
１２給水口
１３オーバーフロー排水口
１４フロート材
１５水面
１６空気層
１７化繊の布
１８配水口兼排水口
１９満水位
【図１】
2006129704.tif 000003
【図２】
2006129704.tif 000004
【図３】
2006129704.tif 000005
【図４】
2006129704.tif 000006
【図５】
2006129704.tif 000007
【図６】
2006129704.tif 000008
【図７】
2006129704.tif 000009
【図８】
2006129704.tif 000010
【図９】
2006129704.tif 000011